(57)【要約】【課題】針基のサイズをシリンジ接続部のサイズに制限されずに設計できる、新規且つ有用な注射針を提供する。【解決手段】ハブは、針管の挿通する貫通孔が形成された針基１１と、軸方向両端側が開口し、軸方向一端側の内部に針基を嵌合収容する筒状ハウジングとを別体の射出成形品とすることで、針基１１を大きく設計できる。ハウジングと針基１１はその間に形成される嵌合隙間４７に針先側から侵入した接着剤もしくは溶着により接合されている。針管シールド部は、箱蓋状で、その天部裏側には、管状ガイド部６９が設けられており、その端縁面７１が針基１１に当接すると共に、側部７５がハウジングを環状に抱持当接する。従って、薬液の圧力を受けても、針基１１が動くことはない。【選択図】図５
2018047227.tif 000002
【特許請求の範囲】
【請求項１】
針先に薬液の吐出口を有する複数の針管と、前記複数の針管の各々の基端側を支持してシリンジに接続するハブと、前記針管の基端側に取り付けられて前記針管の出先長さを短くする針管シールド部とを備える注射針であって、
前記ハブは、前記針管の挿通する貫通孔が形成された針基と、軸方向両端側が開口し、軸方向一端側の内部に前記針基を嵌合収容する筒状ハウジングとに分割構成され、前記ハウジングと前記針基はその間に形成される嵌合隙間に針先側から侵入した接着剤の接着もしくは溶着により接合されており、
前記針管シールド部は、箱蓋状で、その天部裏側には、前記針管を囲んでガイドするガイド部が設けられており、前記ガイド部が前記針基の針管突出面に当接すると共に、側部側が前記ハウジングを環状に抱持当接する
ことを特徴とする注射針。
【請求項２】
請求項１に記載した注射針において、
針管の穿刺・抜去方向から見て、針基の断面の輪郭がハウジングのシリンジ接続側の断面の内輪郭よりも外側に位置していることを特徴とする注射針。
【請求項３】
請求項１または２に記載した注射針において、
接着剤の嵌合隙間への侵入口用および充填部位用として、嵌合隙間の針先側開口が針基側の後退により拡開されて環状凹部が形成されていることを特徴とする注射針。
【請求項４】
請求項１から３のいずれかに記載した注射針において、
針管シールド部の側部は接着剤もしくは溶着の際に生じる溶融流動物の嵌合隙間への侵入部位まで延びて抱持当接していることを特徴とする注射針。
【請求項５】
請求項１から４のいずれかに記載した注射針において、
ガイド部は管状体で構成されていることを特徴とする注射針。
【請求項６】
請求項１から５のいずれかに記載した注射針において、
針基とハウジングはいずれも射出成形品であることを特徴とする注射針。
【発明の詳細な説明】
【技術分野】
【０００１】
本考案は、薬液を経皮投与するための注射針に関するものである。
【背景技術】
【０００２】
経口投与できない薬液の投与には古くから注射が用いられていたが、薬液は、１本の針管で注射されることが多く、針管の刃先の穿刺による投与は痛みを伴うため、痛みの軽減が課題となっていた。
これに対して、近年では、特許文献１等で、複数の針管を備えたタイプの注射針が提案されている。１本の太い針管に代えて細い針管を複数本配置することで、針管の小断面積化により痛みを軽減させることが期待されている。
【０００３】
ところで、最近では、ヒアルロン酸のような粘度の高い薬液も注射対象となっているが、細い針管では薬液が通過しないので、相変わらず太い針管を使用していたため、痛みの軽減への対応が不十分であった。
また、このような薬液では、皮内組織内ではより分散し難く、注射箇所、すなわち針管の刃先を中心とする狭い領域に溜まってしまう傾向があるため、１本の針管の使用では、薬液の組織内での分散が不十分であった。
【０００４】
而して、注射針は、針管と、針管の基端側を支持してシリンジに接続するハブとで主に構成されており、このハブは、従来から、単一の成形型を利用したプラスチックの射出成形法により製造されている。従って、針基の設計に際しては、規格の統一化されたシリンジ接続部のサイズによって制限され、勝手にサイズアップすることは不可能であった。
【０００５】
そのため、複数の針管を支持させるタイプの注射針で、注射箇所の間隔を広げることで上記したような分散し難い薬液に対応しようとしても、針管どうしの横並びの間隔を広げるには限界があった。
【０００６】
また、無痛化に近づけることは、注射針に一般に求められる課題であり、粘度の低い薬液であれば、針管を細くしても注入可能になるため、更に針管を細くできれば、注射時の針管の穿刺による痛みを一層軽減できると期待されるが、針管の総本数を増やすことになる。しかしながら、上記したように、針基のサイズの設計には制限がかけられている以上、その針基に支持される限り、針管の数を増やすにも限界があった。
【先行技術文献】
【特許文献】
【０００７】
【特許文献１】特表２０１３−５３９９９０号公報
【発明の概要】
【発明が解決しようとする課題】
【０００８】
本考案は上記従来の問題点に着目して為されたものであり、針基のサイズをシリンジ接続部のサイズに制限されずに設計できる、新規且つ有用な注射針を提供することを、その目的とする。
【課題を解決するための手段】
【０００９】
上記課題を解決するために、第１の考案は、針先に薬液の吐出口を有する複数の針管と、前記複数の針管の各々の基端側を支持してシリンジに接続するハブと、前記針管の基端側に取り付けられて前記針管の出先長さを短くする針管シールド部とを備える注射針であって、前記ハブは、前記針管の挿通する貫通孔が形成された針基と、軸方向両端側が開口し、軸方向一端側の内部に前記針基を嵌合収容する筒状ハウジングとに分割構成され、前記ハウジングと前記針基はその間に形成される嵌合隙間に針先側から侵入した接着剤の接着もしくは溶着により接合されており、前記針管シールド部は、箱蓋状で、その天部裏側には、前記針管を囲んでガイドするガイド部が設けられており、前記ガイド部が前記針基の針管突出面に当接すると共に、側部側が前記ハウジングを環状に抱持当接することを特徴とする注射針である。
【００１０】
第２の考案は、第１の考案に係る注射針において、針管の穿刺・抜去方向から見て、針基の断面の輪郭がハウジングのシリンジ接続側の断面の内輪郭よりも外側に位置していることを特徴とする注射針である。
【００１１】
第３の考案は、第１または第２の考案に係る注射針において、接着剤の嵌合隙間への侵入口用および充填部位用として、嵌合隙間の針先側開口が針基側の後退により拡開されて環状凹部が形成されていることを特徴とする注射針である。
【００１２】
第４の考案は、第１から第３のいずれかの考案に係る注射針において、針管シールド部の側部は接着剤もしくは溶着の際に生じる溶融流動物の嵌合隙間への侵入部位まで延びて抱持当接していることを特徴とする注射針である。
【００１３】
第５の考案は、第１から第４のいずれかの考案に係る注射針において、ガイド部は管状体で構成されていることを特徴とする注射針である。
【００１４】
第６の考案は、第１から第５のいずれかの考案に係る注射針において、針基とハウジングはいずれも射出成形品であることを特徴とする注射針である。
【発明の効果】
【００１５】
本考案の注射針によれば、針基のサイズをシリンジ接続部のサイズに制限されずに設計でき、大きくすることで、複数の針管の横並びの間隔を広げたり、針管の本数を増やしたりすることが可能となっている。
また、本考案の注射針は、２つの成形型を利用すれば、従来と同様に射出成形により製造することが可能である。
【図面の簡単な説明】
【００１６】
【図１】本考案の実施の形態に係る５本タイプの注射針の全体斜視図である。
【図２】図１の注射針の分解斜視図である。
【図３】図１の注射針の半割り斜視図である。
【図４】図１の注射針の側面図である。
【図５】図４に対応する方向の断面図である。
【図６】図５の垂直交差方向の断面図である。
【図７】図５、図６に基づく、注射時に働く力の作用の説明図である。
【図８】図１の注射針の針基の変更例を示す図である。
【図９】図１とは別の、９本針タイプの注射針の全体斜視図および半割り斜視図である。
【発明を実施するための形態】
【００１７】
本考案の実施の形態に係る注射針１を図面にしたがって説明する。
図１に示すように、注射針１は、５本針タイプになっており、同径直状の針管３が５本備えられている。
各針管３は、図２に示すように、針先５が薬液の吐出口になっており、基端７がハブ９に支持されて一体化されている。このハブ９は、２つの射出成形品で構成されている。
【００１８】
一方の射出成形品が針基１１になっている。この針基１１は、ほぼ角形のブロック状に成形されており、針管３の針先５が突出する側の四角面が表面１３となっている。この表面１３側の辺縁部はその全周にわたって均等に面取りされて傾斜面１５になっており、その面取り分だけ縮小されて、表面１３は裏面１７の相似縮小形になっている。表面１３と裏面１７は平行になっており、その間では垂直に交差する方向に４つの側面１９、１９、……が表出している。隣接する側面１９、１９どうしの境界の角部はいずれも丸み２１が付けられている。
【００１９】
この表面１３から裏面１７にかけて、針基１１を貫通する貫通孔２３が５つ形成されている。各貫通孔２３は表面１３及び裏面１７と垂直に交差する方向に直状に延びており、その垂直方向断面は円形で表面１３に開口する開口端を除いては同径になっている。そして、開口端側はテーパ状に拡開されて、接着剤の侵入口兼溜まり場になっている。
従って、５つの貫通孔２３、２３、‥‥は互いに平行に並んだ状態になっており、５つの貫通孔２３、２３、‥‥のうち、１つが表面１３の中心位置で開口し、残りの４つが表面１３の４つの角部に寄った個所で開口している。５つの貫通孔２３、２３、‥‥は、上記した５本の針管３に各別に対応しており、１つの貫通孔２３に１本の針管３が挿通されるようになっている。中心位置で開口した貫通孔２３の中心が、注射針１全体の軸方向中心となっており、この軸方向が針管３の穿刺・抜去方向になる。
以下では、この「軸方向」を方向の基準指標として利用して説明する。また、軸方向一端側は「軸方向穿刺側」、他端側は「軸方向抜去側」として表現する。
【００２０】
他方の射出成形品がハウジング２５になっている。このハウジング２５は、筒状に成形されており、その軸方向が注射針１の軸方向中心と一致している。軸方向両端側は開口している。
図３、図４に示すように、この軸方向穿刺側が針基１１の嵌合収容部２７になっている。
この嵌合収容部２７は、４つの四角形の板状側部２９、２９、‥‥の板厚側が連なって角筒状に構成されており、板厚側が見える軸方向垂直断面がほぼ正方形の枠をなしている。内面の角部には、丸い窪み３１が付けられている。この枠サイズは軸方向いずれの垂直断面でも同じサイズになっている。
嵌合収容部２７の軸方向穿刺側の端縁は面取りされているが、内方側にある程度の面積を有する平らな端縁面３３が残されている。この端縁面３３は、軸方向垂直断面上にある。
【００２１】
図３に示すように、抜去側の端縁からは、平板状の内方フランジ３５が内方に延出して開口が狭められており、中心に残った円形の連通孔３７を介して軸方向が連通されている。この内方フランジ３５で閉塞された四隅の角隅部には角形の止め凸部３９がそれぞれ形成されている。
また、図２に示すように、４つの側部２９、２９、‥‥の外面にはそれぞれ掛止め突起４１が形成されている。
【００２２】
一方、軸方向抜去側がシリンジ接続部４３になっている。
このシリンジ接続部４３は、軸方向垂直断面が円形で、軸方向に同径に成形されている。シリンジ接続部４３の内径は、連通孔３７とほぼ同じになっており、嵌合収容部２７側とは内方フランジ３５を段差部として連なっている。
抜去側の端縁は全面開口されており、その外側面にはシリンジ接続用の接続凸部４５が形成されている。
【００２３】
針基１１は、表面１３が軸方向穿刺側を向いて表出する姿勢で、嵌合収容部２７の内部空間に入れ子状に嵌合収容されるので、角部の丸み２１が嵌合収容部２７の窪み３１に相対する。
針基１１は嵌合収容部２７に遊嵌されており、図３に示すように、針基１１の側面１９と嵌合収容部２７の側部２９の内面との間、更に、丸み２１と窪み３１との間にも、嵌合隙間４７が形成されているが僅かであり、軸周りの相対回転は不能になっている。
また、傾斜面１５と嵌合収容部２７側の側部２９の内面との間には、拡開された環状凹部４９が形成されている。環状凹部４９は、軸方向垂直断面が三角形で、嵌合隙間４７と連なっている。
【００２４】
図５、図６に示すように、嵌合収容部２７の軸方向の長さは、針基１１の軸方向の長さよりも長く設計されており、針基１１の裏面１７が止め凸部３９（図２）に当接する深さまで没入されてそこで止められている。従って、裏面１７と内方フランジ３５との間には薬液誘導用の空間５１が残されている。この空間５１は、フランジ接続部４３よりも径方向外方に広がっており、その広がり部位は、針基１１と嵌合収容部２７とを単一の射出成形品とした場合にはアンダーカットとなる部分である。
一方、針基１１の表面１３は嵌合収容部２７の端縁面３３よりも一段下がった状態になっている。
【００２５】
符号５５、５７は固着した接合部を示す。接合技術としては接着剤による接着だけでなく、所謂溶着も適用可能となっているが、接合部５５、５７は、その接着剤で構成されている。
接着剤の硬化タイプとしては、室温硬化性接着剤、熱硬化性接着剤、ＵＶ硬化性接着剤が挙げられる。
【００２６】
ただし、接合部は好ましくは熱硬化性接着剤、ＵＶ硬化性接着剤である。
これら接着剤は従来から針管をハブに接着固定するのに使用されているものである。接着部５３は針基１１の貫通孔２３に挿通された針管３を針基１１に対して接着するために介装されている。接着剤は、貫通孔２３の開口端側を侵入口として充填されており、毛細管作用により、針管３と貫通孔２３の隙間に深く入り込んでいる。開口端側は、最終的には、接着剤がこぶ状に膨らんで溜まる溜まり場になる。
針管３は十分に長いものが使用されており、接着剤を充填する際に、針管３を挿通状態で支えることが容易で、針先５に接着剤が触れることも無い。
【００２７】
接着部５５は針基１１を嵌合収容部２７に対して接着固定するために介装されている。環状凹部４９は接着剤の侵入口となっており、嵌合隙間４７に接着剤が浸入して固化している。嵌合隙間４７への侵入深さは、針基１１の半長を超えており、その端は「Ａ」点である。また、環状凹部４９ではこぶ状に膨らんでおり、その端は「Ｂ」点である。接着部は嵌合隙間４７〜環状凹部４９にかけて延在しており、内方側の針基１１、外方側の嵌合収容部２７の間に中筒状に介装されて、大きな接着面積で両者を接着している。
接合部は、説明の便宜上、嵌合隙間４７側では接合部５５、環状凹部４９側では接合部５７と区別する場合もあるが、切れ目の無い連続した接合部が形成されており、フローラインは連続している。
【００２８】
上記したように、針管３、３、‥‥は針基１１に対して基端７が支持されて固定され、針基１１はハウジング２５に対して上記したように固定されて一体化されており、更に、針基１１側には、図１に示すように、針管シールド部５９が取り付けられている。
この針管シールド部５９も射出成形品になっており、箱蓋形をしている。
図２、図３に示すように、その天部６１は四角形の板状になっており、中央部６３に対して四辺の周辺部６５が一段下がった二段構造になっている。この中央部６３には５つの断面円形の貫通孔６７、６７、‥‥が形成されており、各貫通孔６７の孔縁に沿って裏面には管状ガイド部６９が連なっている。この管状ガイド部６９は同径直状になっている。
【００２９】
５つの貫通孔６７、６７、‥‥は針基１１の表面１３側の貫通孔２３と同じように、１つが中央部６３の中心位置に形成され、残りの４つが中央部６３の４つの角部に寄せてそれぞれ形成されている。図５、図６に示すように、各管状ガイド部６９は段差の有る天部６１を超えて延びており、その端縁面７１は天部６１の板面と平行な平面になっている。
また、図２に示すように、天部６１の外面には、２つで一組とする押圧凸部７３、７３が、２つの対向面に設けられており、各押圧凸部７３は外方に張り出した状態で形成されている。
天部６１に対して４つの板状の側部７５、７５、‥‥は垂直に立ち上がっており、それぞれ、舌片７７、７７、‥‥が延設されている。各舌片７７は、側部７５の端縁の中央部分から延び出ており、そこには四角形の掛止め孔７９が形成されている。
【００３０】
図４に示すように、針管シールド部５９は、角形の箱蓋として、角形の嵌合収容部２７に被せられて一体化されており、側部７５、７５、‥‥が嵌合収容部２７の側部２９、２９、‥‥を外側から囲み、嵌合収容部２７側の掛止め突起４１が針管シールド部５９側の掛止め孔７９に掛止され抜止めされている。従って、針管シールド部５９は、嵌合収容部２７（＝ハウジング２５）に対して軸方向及び軸周り方向に対して相対移動が規制されている。
【００３１】
この被せ状態では、１つの針管３の軸方向に１つの管状ガイド部６９が対応しており、針管シールド部５９に、針管３、３、‥‥の基端７側がシールドされて、出先長さが短くなっている。上記したように、針管３は、針基１１に接着剤固定する際に作業し易いように、針基１１の表面１３からある程度の長さで突出しているが、この針管シールド部５９を利用し、図５、図６に示すように、針管シールド部５９の表面を穿刺深さの基準面５９Ａとすることで、組織内の所定の深さへの正確な注射が可能となっている。
【００３２】
また、この被せ状態では、天部６１の周辺部６５が嵌合収容部２７の側部２９、２９、‥‥の端縁面３１、３１、‥‥に当接すると共に、側部７５が外側から抱持当接している。側部７５は長さをある程度は有しており、嵌合隙間４７に侵入した接着部５５のＡ点付近まで延びている。
また、各管状ガイド部６９の端縁面７１は、針基１１の表面１３に当接している。１つの端縁面７１は表面１３の中心に位置し、４つの端縁面７１が表面１３の周囲に均等に配置された状態になっている。角部寄りの端縁面７１は、針基１１の傾斜面１５にはかかっていないので、こぶ状の接着部５７には当たらず、その全体が表面１３に当接している。
【００３３】
本考案の注射針１は、上記したように構成されており、針管３の穿刺・抜去方向からみると、針基１１の断面の輪郭（ＯＬ）がハウジング２５のシリンジ接続側の断面の内輪郭（ＩＬ）よりも外側に位置している。
すなわち、針基１１が、シリンジ接続部のサイズによって制限されずに、サイズアップされており、その針基１１の表面１３に５本の針管３が互いに十分に間隔をあけて配置されている。
なお、図２に示すように、保管時には針管３の針先５側には、キャップ８１を被せるようになっている。天部６１にある押圧凸部７３、７３がキャップ８１の内面に弾圧されて閉じられている。
針管３の出先長さ、すなわち、針管シールド部５９の天部６１の露出面を基準とした針管３の針先５までの長さは、０．０５〜３．５ｍｍである。
【００３４】
注射の際の薬液の圧送による影響を、図７に示す。
注射の際に、この注射針１に接続されたシリンジに薬液が注入され、プランジャに押圧されると、ハウジング２５のシリンジ接続部４３から嵌合収容部２７に向かって薬液が圧送される。
そして、５本の針管３、３、‥‥の各々の基端７、７、‥‥に至ると、そこからそれぞれに入り込み、針先５、５、‥‥から吐出されることになる。
【００３５】
薬液はシリンジ接続部４３からまず空間５１に入り込み、そこから、各針管３に圧力を受けて分配送給されるため、白矢印に示すように、針基１１の裏面１５側に回り込んだ薬液が、針基１１を嵌合収容部２７から押し上げようとする。
これに対して、針管シールド部５９の管状ガイド部６９の端縁面７１が、針基１１の表面１３に当接しているので、黒矢印に示すように、押し戻そうとする。端縁面７１、７１、‥‥は、軸中心とその周囲に均等に配置されているので、軸方向に力のバランスが取れており、モーメントは発生しない。
また、環状凹部４９を埋めた接着部５７はこぶ状になって針基１１の傾斜面１５に接着して接着面積が増大されると共に、黒矢印に示すように、天部６１の側部７５が嵌合収容部２７の側部２９を抱持して外方への膨らみを抑える力が働くので、拡大図に示す太線部の接着強度が効果的に補強されている。従って、この接着部５７も共働して、上記の押し上げようとする圧力に効果的に抗している。
【００３６】
また、嵌合隙間４７に回り込んだ薬液は、嵌合収容部２７の側部２９と針基１１との間の嵌合隙間４７に充填された接着部５５を割裂しようとするが、嵌合隙間４７に関しても、黒矢印に示すように、天部６１の側部７５が嵌合収容部２７の側部２９を抱持して外方への膨らみを抑える力が働いており、更には、上記した接着部５７が強固な堰き止め効果を働かせる。従って、上記の割裂しようとする圧力に効果的に抗している。
【００３７】
本考案では、薬液が圧送されると、針基１１は嵌合収容部２７から押し出される方向に圧力を受けるが、上記したように、針基１１、嵌合収容部２７および針管シールド部５９の構造およびそれらの組み付け状態に工夫を凝らすことで、針基１１に対する嵌合収容部２７の相対位置が正確に維持され、注射中の圧力降下が阻止されている。
また、針管シールド部５９では、針管３のガイド部を管状構造にすることで軽量化が図れている。
【００３８】
本考案の注射針１で使用される薬液は、典型的には、薬剤を含有する溶液、ゲルまたは懸濁液である。使用可能な薬剤は、経皮的な投与に適さない薬剤以外であれば実質的に制限されない。
【００３９】
主な薬剤としては、たとえば、ヒアルロン酸、コラーゲン、ボトックス等、抗菌薬、抗ウイルス薬、ワクチン、抗腫瘍薬、免疫抑制薬、ステロイド薬、抗炎症薬、抗リウマチ薬、関節炎治療薬、抗ヒスタミン薬、抗アレルギー薬、糖尿病治療薬、ホルモン剤、骨・カルシウム代謝薬、ビタミン、血液製剤、造血薬、抗血栓薬、抗高脂血症薬、抗不整脈薬、血管拡張薬、プロスタグランジン、カルシウム拮抗薬、ＡＣＥ阻害薬、βブロッカー、降圧薬、利尿薬、キサンチン誘導体、βアゴニスト、抗喘息薬、鎮咳薬、去痰薬、抗コリン薬、止寫薬、健胃消化薬、抗潰瘍薬、下剤、睡眠薬、鎮静薬、解熱剤、かぜ薬、抗てんかん薬、抗精神病薬、抗うつ薬、抗不安薬、中枢神経刺劇薬、副交感神経作用薬、交感神経作用薬、制吐剤、中枢興奮薬、抗パーキンソン病薬、筋弛緩薬、鎮痙薬、麻酔薬、鎮痒薬、抗片頭痛薬、診断薬、オリゴヌクレオチド、遺伝子薬などが挙げられる。
【００４０】
ただし、薬剤は、好ましくは、経口投与で効果を表さないかあるいは減弱してしまうタンパク、ぺプチド、多糖類、オリゴヌクレオチド、ＤＮＡ等であり、具体的には、インスリン、成長ホルモン、インターフェロン、カルシトニン等の高分子量医薬品である。
【００４１】
以上、本考案の実施の形態を説明したが、本考案の具体的構成は上記の実施の形態に限定されるものではなく、本考案の要旨から外れない範囲での設計変更があっても本考案に含まれる。
例えば、図８に示すように、針基１１の貫通孔２３に段差２３Ａを設け、針管３の基端７をその段差２３Ａで止めるようにしてもよい。
また、針管シールド部５９の基準面５９Ａは、大きくなっていることから、注射する部位の表面の形状に沿って湾曲させることも考えられる。
更に、針基１１の表面１３は角形になっているが、円形等にすることもできる。
【００４２】
図９は、別例の注射針８３を示す。この注射針８３は、９本針タイプになっている。このように、針基のサイズをシリンジ接合部のサイズに制限されずに設計が出来ることから従来よりも針管３の数を増やすことも可能になっている。
また、針管３のピッチなども広げることも可能になっており、針管３の数は２〜３６本まで増やすことが可能である。
【００４３】
また、接合部５５、５７は、接着剤だけでなく、溶着技術を利用することも可能である。その場合には、嵌合隙間４７を囲む針基１１と嵌合収容部２７から溶融流動により入り込んだ流動物で、嵌合隙間４７が充填されて接着部５５に相当するものが形成され、更に、開口端側では、通常は環状凹部４９を形成しないが、溶着後には接着部５７に相当するものが形成される。従って、接着剤を使用した場合と同様に効果を享受できる。
溶着の種類のタイプとしては、レーザー溶着、超音波溶着、振動溶着、熱溶着が挙げられる。
【符号の説明】
【００４４】
１…注射針（５本針）    ３…針管              ５…針先            ７…基端
９…ハブ              １１…針基            １３…表面          １５…傾斜面
１７…裏面              １９…側面            ２１…丸み          ２３…貫通孔
２５…ハウジング        ２７…嵌合収容部      ２９…側部          ３１…窪み
３３…端縁面            ３５…内方フランジ    ３７…連通孔        ３９…止め凸部
４１…止め突起          ４３…シリンジ接続部  ４５…接続凸部      ４７…嵌合隙間
４９…環状凹部          ５１…薬液誘導用空間  ５３…接着部
５５、５７…接着部      ５９…針管シールド部  ６１…天部          ６３…中央部
６５…周辺部            ６７…貫通孔          ６９…管状ガイド部  ７１…端縁面
７３…押圧凸部          ７５…側部            ７７…舌片          ７９…掛止め孔
８１…キャップ          ８３…注射針（９本針）
【図１】
2018047227.tif 000003
【図２】
2018047227.tif 000004
【図３】
2018047227.tif 000005
【図４】
2018047227.tif 000006
【図５】
2018047227.tif 000007
【図６】
2018047227.tif 000008
【図７】
2018047227.tif 000009
【図８】
2018047227.tif 000010
【図９】
2018047227.tif 000011